【手続補正書】
【提出日】平成15年11月20日(2003.11.20)
【手続補正１】
【補正対象書類名】明細書
【補正対象項目名】特許請求の範囲
【補正方法】変更
【補正の内容】
【特許請求の範囲】
【請求項１】
波形表示された所定期間の測定データにトリガ発生点を表示するトリガポジション表示装置において、
前記所定期間内に測定が停止された時に、前記測定データが予め設定したトリガ条件を満たしていれば、前記測定データに対してトリガ発生点を示すトリガポジション表示を行うことを特徴とするトリガポジション表示装置。
【請求項２】
波形表示された所定期間の測定データにトリガ発生点を表示するトリガポジション表示装置において、
前記測定データが、予め設定したトリガ条件を満たした時に、トリガ信号を発生するトリガ検出手段と、
前記トリガ信号の発生を検知するトリガ出力検知手段と、
所定の外部入力に基づき、測定を停止させる割り込み信号を発生する割り込み信号発生手段と、
を有し、
前記所定期間内の前記割り込み信号及び前記トリガ信号に基づき、前記トリガ条件を満たした前記測定データに対して、トリガ発生点を示すトリガポジション表示を行うことを特徴とするトリガポジション表示装置。
【請求項３】
前記所定期間は、前記トリガ条件を満たした前記測定データを基点として、前記測定データの収集量が予め設定したレコード長になるまでの期間であることを特徴とする請求項１または請求項２に記載のトリガポジション表示装置。
【請求項４】
波形表示された所定期間の測定データにトリガ発生点を表示するトリガポジション表示装置において、
前記所定期間内に測定が停止されたことを検知し、測定停止時の前記測定データに対して、トリガ発生点を示すトリガポジション表示を行うことを特徴とするトリガポジション表示装置。
【請求項５】
波形表示された所定期間の測定データにトリガ発生点を表示するトリガポジション表示装置において、
所定の外部入力に基づき、測定を停止させる割り込み信号を発生する割り込み信号発生手段と、
前記割り込み信号の発生に基づき、トリガ発生点を示すトリガポジション表示の補正を行うトリガポジション補正手段と、
を有し、
前記所定期間内に測定を停止した時の前記測定データに対して、補正後の前記トリガポジション表示を行うことを特徴とするトリガポジション表示装置。
【請求項６】
前記所定期間は、測定開始時を基点として、前記測定データが予め設定されたトリガ条件を満たすまでの期間であることを特徴とする請求項４または請求項５に記載のトリガポジション表示装置。
【請求項７】
前記所定期間は、測定開始時を基点として、前記測定データの収集量が予め設定したレコード長になるまでの期間であることを特徴とする請求項４または請求項５に記載のトリガポジション表示装置。
【請求項８】
前記所定期間は、測定開始時を基点として、前記測定データが予め設定されたトリガ条件を満たしてから前記測定データの収集量が予め設定したレコード長になるまでの期間であることを特徴とする請求項４または請求項５に記載のトリガポジション表示装置。
【請求項９】
波形表示された所定期間の測定データにトリガ発生点を表示するトリガポジション表示方法において、
以下の手順で前記測定データにトリガポジション表示を行うことを特徴とするトリガポジション表示方法。
（ａ）少なくともトリガ条件の設定またはレコード長の設定を含む測定条件を設定する工程。
（ｂ）測定を開始する工程。
（ｃ）測定停止の割り込み発生を検知して真偽による判断を開始する工程。
（ｄ）前記測定データが前記トリガ条件を満たしたことを検知し真偽による判断を開始する工程。
（ｅ）工程（ｃ）の判断が偽で、工程（ｄ）の判断が真の場合には、前記トリガ条件を満たした前記測定データを基点として前記測定データの収集を開始し、工程（ｃ）の判断が真で、工程（ｄ）の判断が偽の場合には、測定を停止し処理を終了する工程。
（ｆ）前記測定データの収集の間、工程（ｃ）の判断が偽である場合は、前記測定データを前記レコード長になるまで収集したら測定を停止し、前記トリガ条件を満たした前記測定データに対して前記トリガポジション表示を行い処理を終了する工程。
（ｇ）前記測定データの収集の間、工程（ｃ）の判断が真になった場合は、測定を停止し、前記トリガ条件を満たした前記測定データに対して前記トリガポジション表示を行い処理を終了する工程。
【請求項１０】
波形表示された所定期間の測定データにトリガ発生点を表示するトリガポジション表示方法において、
以下の手順で前記測定データにトリガ発生点を示すトリガポジション表示をおこなうことを特徴とするトリガポジション表示方法。
（ａ）少なくともトリガ条件の設定またはレコード長の設定を含む測定条件を設定する工程。
（ｂ）測定を開始する工程。
（ｃ）測定停止の割り込みが発生したことを検知し真偽による判断を開始する工程。
（ｄ）前記測定データを表示する工程
（ｅ）前記測定データが前記トリガ条件または前記レコード長から成る測定停止条件を満たしたことを検知し真偽による判断をする工程。
（ｆ）工程（ｃ）と工程（ｅ）の判断の少なくともいずれか一つが真になるまで工程（ｄ）の処理を継続する工程。
（ｇ）工程（ｃ）の判断が偽であって、工程（ｅ）の判断が真である場合は、測定を停止し、前記測定停止条件を満たした前記測定データに対して前記トリガポジション表示を行い処理を終了する工程。
（ｈ）工程（ｃ）の判断が真であって、工程（ｅ）判断が真である場合は、測定を停止し、前記測定停止条件を満たした前記測定データに対して前記トリガポジション表示を行い処理を終了する工程。
（ｉ）工程（ｃ）が真であって、工程（ｅ）の判断が偽である場合は、測定を停止し、補正により前記測定停止の割り込み発生時の前記測定データに前記トリガポジション表示を行い処理を終了する工程。
【手続補正２】
【補正対象書類名】明細書
【補正対象項目名】００１７
【補正方法】変更
【補正の内容】
【００１７】
（１）波形表示された所定期間の測定データにトリガ発生点を表示するトリガポジション表示装置において、
前記所定期間内に測定が停止された時に、前記測定データが予め設定したトリガ条件を満たしていれば、前記測定データに対してトリガ発生点を示すトリガポジション表示を行うことを特徴とするトリガポジション表示装置。
（２）波形表示された所定期間の測定データにトリガ発生点を表示するトリガポジション表示装置において、
前記測定データが、予め設定したトリガ条件を満たした時に、トリガ信号を発生するトリガ検出手段と、
前記トリガ信号の発生を検知するトリガ出力検知手段と、
所定の外部入力に基づき、測定を停止させる割り込み信号を発生する割り込み信号発生手段と、
を有し、
前記所定期間内の前記割り込み信号及び前記トリガ信号に基づき、前記トリガ条件を満たした前記測定データに対して、トリガ発生点を示すトリガポジション表示を行うことを特徴とするトリガポジション表示装置。
（３）前記所定期間は、前記トリガ条件を満たした前記測定データを基点として、前記測定データの収集量が予め設定したレコード長になるまでの期間であることを特徴とする（１）または（２）に記載のトリガポジション表示装置。
（４）波形表示された所定期間の測定データにトリガ発生点を表示するトリガポジション表示装置において、
前記所定期間内に測定が停止されたことを検知し、測定停止時の前記測定データに対して、トリガ発生点を示すトリガポジション表示を行うことを特徴とするトリガポジション表示装置。
（５）波形表示された所定期間の測定データにトリガ発生点を表示するトリガポジション表示装置において、
所定の外部入力に基づき、測定を停止させる割り込み信号を発生する割り込み信号発生手段と、
前記割り込み信号の発生に基づき、トリガ発生点を示すトリガポジション表示の補正を行うトリガポジション補正手段と、
を有し、
前記所定期間内に測定を停止した時の前記測定データに対して、補正後の前記トリガポジション表示を行うことを特徴とするトリガポジション表示装置。
（６）前記所定期間は、測定開始時を基点として、前記測定データが予め設定されたトリガ条件を満たすまでの期間であることを特徴とする（４）または（５）に記載のトリガポジション表示装置。
（７）前記所定期間は、測定開始時を基点として、前記測定データの収集量が予め設定したレコード長になるまでの期間であることを特徴とする（４）または（５）に記載のトリガポジション表示装置。
（８）前記所定期間は、測定開始時を基点として、前記測定データが予め設定されたトリガ条件を満たしてから前記測定データの収集量が予め設定したレコード長になるまでの期間であることを特徴とする（４）または（５）に記載のトリガポジション表示装置。
（９）波形表示された所定期間の測定データにトリガ発生点を表示するトリガポジション表示方法において、
以下の手順で前記測定データにトリガポジション表示を行うことを特徴とするトリガポジション表示方法。
（ａ）少なくともトリガ条件の設定またはレコード長の設定を含む測定条件を設定する工程。
（ｂ）測定を開始する工程。
（ｃ）測定停止の割り込み発生を検知して真偽による判断を開始する工程。
（ｄ）前記測定データが前記トリガ条件を満たしたことを検知し真偽による判断を開始する工程。
（ｅ）工程（ｃ）の判断が偽で、工程（ｄ）の判断が真の場合には、前記トリガ条件を満たした前記測定データを基点として前記測定データの収集を開始し、工程（ｃ）の判断が真で、工程（ｄ）の判断が偽の場合には、測定を停止し処理を終了する工程。
（ｆ）前記測定データの収集の間、工程（ｃ）の判断が偽である場合は、前記測定データを前記レコード長になるまで収集したら測定を停止し、前記トリガ条件を満たした前記測定データに対して前記トリガポジション表示を行い処理を終了する工程。
（ｇ）前記測定データの収集の間、工程（ｃ）の判断が真になった場合は、測定を停止し、前記トリガ条件を満たした前記測定データに対して前記トリガポジション表示を行い処理を終了する工程。
（１０）波形表示された所定期間の測定データにトリガ発生点を表示するトリガポジション表示方法において、
以下の手順で前記測定データにトリガ発生点を示すトリガポジション表示をおこなうことを特徴とするトリガポジション表示方法。
（ａ）少なくともトリガ条件の設定またはレコード長の設定を含む測定条件を設定する工程。
（ｂ）測定を開始する工程。
（ｃ）測定停止の割り込みが発生したことを検知し真偽による判断を開始する工程。
（ｄ）前記測定データを表示する工程
（ｅ）前記測定データが前記トリガ条件または前記レコード長から成る測定停止条件を満たしたことを検知し真偽による判断をする工程。
（ｆ）工程（ｃ）と工程（ｅ）の判断の少なくともいずれか一つが真になるまで工程（ｄ）の処理を継続する工程。
（ｇ）工程（ｃ）の判断が偽であって、工程（ｅ）の判断が真である場合は、測定を停止し、前記測定停止条件を満たした前記測定データに対して前記トリガポジション表示を行い処理を終了する工程。
（ｈ）工程（ｃ）の判断が真であって、工程（ｅ）判断が真である場合は、測定を停止し、前記測定停止条件を満たした前記測定データに対して前記トリガポジション表示を行い処理を終了する工程。
（ｉ）工程（ｃ）が真であって、工程（ｅ）の判断が偽である場合は、測定を停止し、補正により前記測定停止の割り込み発生時の前記測定データに前記トリガポジション表示を行い処理を終了する工程。